【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
基板と、
前記基板上に形成され、その枠に１つの側部及び反対側の側部を有する複数の発光セルと、
前記１つの側部に形成された第１の電極パッドと、
前記第１の電極パッドと対向し、前記反対側の側部の枠とともに前記反対側の側部の周辺領域を包囲する線形の第２の電極パッドと、
二つの発光セル間で前記第１の電極パッドと前記第２の電極パッドとを接続する配線と、を含み、
前記第２の電極パッドの各端部は前記反対側の側部の枠に近接し、
前記第１の電極パッドは前記１つの側部の二つの辺に近接している両端部を含み、
前記第２の電極パッドは前記１つの側部の二つの辺と向かい合う他の側部の二つの辺の方向に近接している両端部を有する発光ダイオード。
【請求項２】
前記配線は、ステップカバー工程で前記第１の電極パッド及び前記第２の電極パッドと一体に形成されることを特徴とする請求項１に記載の発光ダイオード。
【請求項３】
前記第１の電極パッドは、前記１つの側部の輪郭に沿って接続された二つ以上の直線部又は一つ以上の曲線部を含むことを特徴とする請求項１に記載の発光ダイオード。
【請求項４】
前記発光セルは四角形状で、前記第１の電極パッドは、前記１つの側部の二つの辺と平行で、前記１つの側部の頂点付近で接し合う二つの直線部を含むことを特徴とする請求項１に記載の発光ダイオード。
【請求項５】
前記第２の電極パッドは、前記反対側の側部の二つの辺に近接した各端部から前記第１の電極パッドに近づく方向においてつながり、中間で互いに接し合う二つの直線部を含むことを特徴とする請求項４に記載の発光ダイオード。
【請求項６】
前記第２の電極パッドの各直線部がなす角度は、前記第１の電極パッドの各直線部がなす角度と同一であるか、それより大きいことを特徴とする請求項５に記載の発光ダイオード。
【請求項７】
前記第２の電極パッドは、両端部が前記反対側の側部の二つの辺に近接している一つの直線部からなることを特徴とする請求項４に記載の発光ダイオード。
【請求項８】
前記第１の電極パッドの各直線部のうち一つの直線部が、隣接する発光セルに共通に属しており、残りの直線部は、前記隣接する発光セルの直線部と一直線になるように接続されたことを特徴とする請求項４に記載の発光ダイオード。
【請求項９】
前記発光セルは円形状又は楕円形状で、前記第１の電極パッドは、前記１つの側部に沿って弧状に形成されたことを特徴とする請求項１に記載の発光ダイオード。
【請求項１０】
前記第２の電極パッドは、前記第１の電極パッドと平行な弧状を有することを特徴とする請求項９に記載の発光ダイオード。
【請求項１１】
前記発光セルは多角形状で、前記第１の電極パッドと前記第２の電極パッドは平行であることを特徴とする請求項１に記載の発光ダイオード。
【請求項１２】
前記基板上には第１のボンディングパッド及び第２のボンディングパッドが形成され、前記複数の発光セルは、第１の電極パッドの一端部が前記第１のボンディングパッドと配線によって接続された発光セルと、前記第２の電極パッドの一端部が前記第２のボンディングパッドと配線によって接続された発光セルとを含むことを特徴とする請求項１に記載の発光ダイオード。
【請求項１３】
前記各発光セルを覆うように形成されたマイクロレンズをさらに含むことを特徴とする請求項１に記載の発光ダイオード。
【請求項１４】
前記マイクロレンズを覆うように形成された絶縁保護膜をさらに含むことを特徴とする請求項１３に記載の発光ダイオード。
【請求項１５】
前記発光セルは、前記第２の電極パッドの下側の任意の位置に電流分散のための電流遮断部を含むことを特徴とする請求項１に記載の発光ダイオード。
【請求項１６】
前記電流遮断部は、ＳｉＯ２、Ａｌ２Ｏ３、Ｓｉ３Ｎ４、ＴｉＯ２から選択された少なくとも一つの材料を含むことを特徴とする請求項１５に記載の発光ダイオード。
【請求項１７】
前記電流遮断部は、低屈折率層と高屈折率層とが連続的に繰り返して積層された構造を有し、前記低屈折率層としてはＳｉＯ２又はＡｌ２Ｏ３が用いられ、前記高屈折率層としてはＳｉ３Ｎ４又はＴｉＯ２が用いられることを特徴とする請求項１６に記載の発光ダイオード。
【請求項１８】
１つの側部及び反対側の側部を枠に有する発光セルと、
前記１つの側部に形成された第１の電極パッドと、
前記第１の電極パッドと対向し、前記反対側の側部の枠と共に前記反対側の側部の周辺領域を包囲する線形の第２の電極パッドと
を含むことを特徴とする発光ダイオード。
【請求項１９】
前記第１の電極パッドは、前記１つの側部の輪郭に沿って接続された二つ以上の直線部又は一つ以上の曲線部を含むことを特徴とする請求項１８に記載の発光ダイオード。
【請求項２０】
前記発光セルは四角形で、前記第１の電極パッドは、前記１つの側部の二つの辺と平行で、前記１つの側部の頂点付近で接し合う二つの直線部を含むことを特徴とする請求項１８に記載の発光ダイオード。
【請求項２１】
前記第２の電極パッドは、前記反対側の側部の二つの辺に近接した各端部から前記第１の電極パッドに近づく方向においてつながり、中間で互いに接し合う二つの直線部を含むことを特徴とする請求項２０に記載の発光ダイオード。
【請求項２２】
前記第２の電極パッドの各直線部がなす角度は、前記第１の電極パッドの各直線部がなす角度と同一であるか、それより大きいことを特徴とする請求項２１に記載の発光ダイオード。
【請求項２３】
前記第２の電極パッドは、両端部が前記反対側の側部の二つの辺に近接している一つの直線部からなることを特徴とする請求項２０に記載の発光ダイオード。
【請求項２４】
前記発光セルは円形状又は楕円形状で、前記第１の電極パッドは、前記１つの側部に沿って弧状に形成されたことを特徴とする請求項１８に記載の発光ダイオード。
【請求項２５】
前記第２の電極パッドは前記第１の電極パッドと平行な弧状を有することを特徴とする請求項２４に記載の発光ダイオード。
【請求項２６】
基板と、
前記基板上に互いに離隔して位置し、下部半導体層、前記下部半導体層の一部領域に形成された活性層、上部半導体層及び透明電極層を含む複数の発光セルと、
隣接した各発光セルの下部半導体層と上部半導体層とを電気的に接続する配線層と、
前記配線層による前記発光セル内の短絡を防止するように前記配線層と前記発光セルとの間に形成される絶縁層と、
前記基板及び前記発光セルを覆うように形成されたマイクロレンズと
を含むことを特徴とする発光ダイオード。
【請求項２７】
前記マイクロレンズを覆うように形成された絶縁保護膜をさらに含むことを特徴とする請求項２６に記載の発光ダイオード。
【請求項２８】
前記マイクロレンズは、前記透明電極層と前記絶縁保護膜との中間屈折率を有する物質で形成されることを特徴とする請求項２７に記載の発光ダイオード。
【請求項２９】
前記マイクロレンズはポリマーで形成されることを特徴とする請求項２６に記載の発光ダイオード。
【請求項３０】
前記上部半導体層は窒化ガリウム系半導体層で形成され、前記透明電極層はＩＴＯ層で形成され、前記マイクロレンズはポリマーで形成され、前記絶縁保護膜はＳｉＯ２で形成されたことを特徴とする請求項２６に記載の発光ダイオード。
【請求項３１】
前記マイクロレンズは、前記透明電極層の上部からその垂直断面が上方に行くほど幅が狭くなる形状を有することを特徴とする請求項２６に記載の発光ダイオード。
【請求項３２】
前記複数の発光セルは、それぞれ１つの側部と反対側の側部とを枠に有し、前記１つの側部には前記配線層の一部として第１の電極パッドが形成され、前記第１の電極パッドと対向する配線層の一部である線形の第２の電極パッドは、前記反対側の側部の枠と共に前記反対側の側部の周辺領域を包囲するように形成されたことを特徴とする請求項２６に記載の発光ダイオード。
【請求項３３】
前記発光セルは、前記配線層の下側の所定の位置に電流遮断部を含むことを特徴とする請求項２６に記載の発光ダイオード。
【請求項３４】
基板と、
前記基板上に互いに離隔して位置し、下部半導体層、前記下部半導体層の一部領域に形成された活性層、上部半導体層及び透明電極層を含む複数の発光セルと、
隣接した各発光セルの下部半導体層と上部半導体層を電気的に接続する配線層と、
前記配線層による前記発光セル内の短絡を防止するように前記配線層と前記発光セルとの間に形成される絶縁層と、を含み、
前記発光セルは、前記配線層の下側に電流遮断部を含む
ことを特徴とする発光ダイオード。
【請求項３５】
前記配線層は、下部半導体層の上部に形成される第１の電極パッドと、前記透明電極層又は前記前記上部半導体層の上部に位置する第２の電極パッドと、を一体に含み、前記電流遮断部は、前記第２の電極パッドの下側に領域的に形成されたことを特徴とする請求項３４に記載の発光ダイオード。
【請求項３６】
前記複数の発光セルは、それぞれ１つの側部と反対側の側部を枠に有し、前記１つの側部には前記配線層の一部として第１の電極パッドが形成され、前記第１の電極パッドと対向する配線層の一部である線形の第２の電極パッドは、前記反対側の側部の枠と共に前記反対側の側部の周辺領域を包囲するように形成されたことを特徴とする請求項３５に記載の発光ダイオード。
【請求項３７】
前記電流遮断部は、ＳｉＯ２、Ａｌ２Ｏ３、Ｓｉ３Ｎ４又はＴｉＯ２から選択された少なくとも一つの材料を含むことを特徴とする請求項３４に記載の発光ダイオード。
【請求項３８】
前記電流遮断部は分布ブラッグ反射器であることを特徴とする請求項３７に記載の発光ダイオード。
【請求項３９】
前記電流遮断部は分布ブラッグ反射器であって、前記分布ブラッグ反射器は、低屈折率層と高屈折率層とが連続的に繰り返して積層された構造を有し、
前記低屈折率層としてはＳｉＯ２又はＡｌ２Ｏ３が用いられ、
前記高屈折率層としてはＳｉ３Ｎ４又はＴｉＯ２が用いられることを特徴とする請求項３４に記載の発光ダイオード。